(57)【要約】【課題】バッテリが背面板の内面に固着された携帯端末からバッテリを短時間で除去できる本発明の携帯端末の解体方法及び解体装置を提供する。【解決手段】携帯端末の解体方法は、携帯端末の背面板の内面に固着されたバッテリを除去する携帯端末の解体方法であって、切断部に背面板を向けて携帯端末を保持する保持ステップ（Ｓ１）と、当該保持ステップの後、切断部によって背面板を切断する背面板切断ステップ（Ｓ２）とを実施する。【選択図】図４
2017164673.tif 000002
【特許請求の範囲】
【請求項１】
携帯端末の背面板の内面に固着されたバッテリを除去する携帯端末の解体方法であって、
切断部に前記背面板を向けて前記携帯端末を保持する保持ステップと、
前記保持ステップの後、前記切断部によって前記背面板を切断する背面板切断ステップと
を実施する携帯端末の解体方法。
【請求項２】
前記背面板切断ステップは、前記背面板にレーザを照射して切断する
請求項１に記載の携帯端末の解体方法。
【請求項３】
前記背面板切断ステップは、前記背面板を前記バッテリの輪郭に沿って走査切断する
請求項１又は２に記載の携帯端末の解体方法。
【請求項４】
前記背面板切断ステップは、前記背面板から前記バッテリが固着された背面板片を切り抜く
請求項１から３のいずれか一項に記載の携帯端末の解体方法。
【請求項５】
前記背面板切断ステップの後に、前記携帯端末から前記バッテリが固着された背面板片を剥がす背面板片剥がしステップを
さらに実施する請求項１から４のいずれか一項に記載の携帯端末の解体方法。
【請求項６】
前記背面板片剥がしステップは、前記切断した背面板の切断箇所に把持部を押し込み、前記背面板片を把持する背面板片把持ステップを含み、
前記把持部によって前記背面板片を剥がす
請求項５に記載の携帯端末の解体方法。
【請求項７】
携帯端末の背面板の内面に固着されたバッテリを除去する携帯端末の解体装置であって、
前記背面板を切断する切断部と、
前記切断部に前記背面板を向けて前記携帯端末を保持する保持部と
を備える携帯端末の解体装置。
【請求項８】
前記切断部は、前記背面板にレーザを照射して切断する
請求項７に記載の携帯端末の解体装置。
【請求項９】
走査切断する走査部と、
前記走査部を制御する制御部と
をさらに備え、
前記制御部で前記走査部を制御することによって、前記背面板を前記バッテリの輪郭に沿って切断する
請求項７又は８に記載の携帯端末の解体装置。
【請求項１０】
走査切断する走査部と、
前記走査部を制御する制御部と
をさらに備え、
前記制御部で前記走査部を制御することによって、前記背面板から前記バッテリが固着された背面板片を切り抜く
請求項７から９のいずれか一項に記載の携帯端末の解体装置。
【発明の詳細な説明】
【技術分野】
【０００１】
本発明は、携帯端末の解体方法及び解体装置に関する。
【背景技術】
【０００２】
電子機器を解体して有価物を回収する方法として、部品毎に分解して有価物と非有価物に分ける方法が知られている。この場合、電子機器を組立順序の逆順に分解して部品やユニットに解体するが、電子機器が解体に適した設計になっておらず、時間がかかり、また自動化が困難である。そこで、分解に時間をかけない方法として、例えば、特許文献１には、液晶テレビの前面から、液晶ユニットの外周を切断し、液晶ユニットを取り出す解体方法が開示されている。
【先行技術文献】
【特許文献】
【０００３】
【特許文献１】特許第５７７３９２３号公報
【発明の概要】
【発明が解決しようとする課題】
【０００４】
ところで、タブレット端末やスマートフォンといった携帯端末の中には、バッテリが背面板の内面に固着されているものがある。このような携帯端末からバッテリを除去する場合、特許文献１のように切断しても、内蔵される基板や部品によって、背面板の内面に固着されたバッテリを取り外すことは困難である。したがって、結局基板や部品を取り外してからバッテリを取り外す必要があり、バッテリの除去に時間がかかってしまう。
【０００５】
本発明は、バッテリが背面板の内面に固着された携帯端末から、バッテリを短時間で除去できる解体方法及び解体装置を提供することを目的とする。
【課題を解決するための手段】
【０００６】
第１の態様の携帯端末の解体方法は、携帯端末の背面板の内面に固着されたバッテリを除去する携帯端末の解体方法であって、切断部に前記背面板を向けて前記携帯端末を保持する保持ステップと、前記保持ステップの後、前記切断部によって前記背面板を切断する背面板切断ステップとを実施する。
【０００７】
本態様では、バッテリが固着された背面板を切断することによって、内蔵される基板や部品を取り外さなくても、携帯端末からバッテリを除去できるため、バッテリが背面板の内面に固着された携帯端末からバッテリを短時間で除去できる。
【０００８】
第２の態様の携帯端末の解体方法は、前記背面板切断ステップが、前記背面板にレーザを照射して切断する第１の態様の携帯端末の解体方法である。
【０００９】
本態様では、背面板をレーザで切断するため、バッテリを深く切断することはなく背面板を切断することができる。
【００１０】
第３の態様の携帯端末の解体方法は、前記背面板切断ステップが、前記背面板を前記バッテリの輪郭に沿って走査切断する第１又は第２の態様の携帯端末の解体方法である。
【００１１】
本態様では、バッテリを大きく破損することなく、背面板を切断することができる。
【００１２】
第４の態様の携帯端末の解体方法は、前記切断ステップが、前記背面板から前記バッテリが固着された背面板片を切り抜く第１から３のいずれかの態様の携帯端末の解体方法である。
【００１３】
本態様では、携帯端末からバッテリが固着された背面板片を切り抜くことができる。
【００１４】
第５の態様の携帯端末の解体方法は、前記背面板切断ステップの後に、前記携帯端末から前記バッテリが固着された背面板片を剥がす背面板片剥がしステップをさらに実施する第１から第４のいずれかの態様の携帯端末の解体方法である。
【００１５】
本態様では、携帯端末とバッテリが固着された背面板片とを分別することができる。
【００１６】
第６の態様の携帯端末の解体方法は、前記背面板片剥がしステップは、前記切断した背面板の切断箇所に把持部を押し込み、前記背面板片を把持する背面板片把持ステップを備え、前記把持部によって前記背面板片を剥がす第５の態様の携帯端末の解体方法である。
【００１７】
本態様では、切断ステップで切断した背面板の切断箇所を利用して、携帯端末から背面板片を剥がすことができる。
【００１８】
第７の態様の携帯端末の解体装置は、携帯端末の背面板の内面に固着されたバッテリを除去する携帯端末の解体装置であって、前記背面板を切断する切断部と、前記切断部に前記背面板を向けて前記携帯端末を保持する保持部とを備える。
【００１９】
本態様では、バッテリが固着された背面板を切断することによって、内蔵される基板や部品を取り外さなくても、携帯端末からバッテリを除去できるため、バッテリが背面板の内面に固着された携帯端末からバッテリを短時間で除去できる。
【００２０】
第８の態様の携帯端末の解体装置は、前記切断部が、前記背面板にレーザを照射して切断する第７の態様の携帯端末の解体装置である。
【００２１】
本態様では、背面板をレーザで切断するため、バッテリを深く切断することはなく背面板を切断することができる。
【００２２】
第９の態様の携帯端末の解体装置は、走査切断する走査部と、前記走査部を制御する制御部とをさらに備え、前記制御部で前記走査部を制御することによって、前記背面板を前記バッテリの輪郭に沿って切断する第７又は第８の態様の携帯端末の解体装置である。
【００２３】
本態様では、バッテリを大きく破損することなく、背面板を切断することができる。
【００２４】
第１０の態様の携帯端末の解体装置は、走査切断する走査部と、前記走査部を制御する制御部とをさらに備え、前記制御部で前記走査部を制御することによって、前記背面板から前記バッテリが固着された背面板片を切り抜く第７から９のいずれかの態様の携帯端末の解体装置である。
【００２５】
本態様では、携帯端末からバッテリが固着された背面板片を切り抜くことができる。
【発明の効果】
【００２６】
本発明の携帯端末の解体方法及び解体装置は、バッテリが背面板の内面に固着された携帯端末からバッテリを短時間で除去できる。
【図面の簡単な説明】
【００２７】
【図１】本発明に係る実施形態における解体装置及び携帯端末の要部の断面図である。
【図２】本発明に係る実施形態の解体装置の第１変形例の要部の断面図である。
【図３】本発明に係る実施形態の解体装置の第２変形例の要部の平面視図である。
【図４】本発明に係る実施形態における解体方法のフローチャートである。
【図５】本発明に係る実施形態における解体方法の各ステップを説明する図である。
【図６】本発明に係る実施形態における解体方法の切断線を説明する図である。
【図７】本発明に係る実施形態における解体方法の切断線を説明する図である。
【図８】本発明に係る実施形態における解体方法の走査経路を説明する図である。
【図９】本発明に係る実施形態における解体方法の背面板片剥がしステップを説明する図である。
【図１０】本発明に係る実施形態における解体方法の変形例のフローチャートである。
【図１１】本発明に係る実施形態における解体方法の変形例の各ステップを説明する図である。
【図１２】本発明に係る実施形態における解体方法の変形例の背面板切断ステップを説明する図である。
【図１３】本発明に係る実施形態における解体方法の変形例の背面板切断ステップを説明する図である。
【発明を実施するための形態】
【００２８】
以下、本発明に係る各種実施形態について、図面を用いて説明する。
【００２９】
「解体装置」
本発明の実施形態に係る携帯端末の解体装置について、図１を参照して説明する。
【００３０】
解体装置１０及び携帯端末５０の構造について説明する。
図１に示すように、本実施形態で用いる解体装置１０は、携帯端末５０の背面板６０を切断するレーザヘッド２１を備えたレーザ照射部２０（切断部）と、レーザ照射部２０に背面板６０を向けて携帯端末５０を保持する保持部３０と、ヘッド支持部２２と、走査部２３と、制御部２４と、遮断部２５とを備える。
【００３１】
レーザ照射部２０は、走査部２３を介して、ヘッド支持部２２に支持されている。ヘッド支持部２２に支持されたレーザ照射部２０は、保持部３０に保持された携帯端末５０の上方に位置し、保持された携帯端末５０にレーザＬｂを照射している。
遮断部２５は、携帯端末５０の背面板６０へ照射されるレーザＬｂを遮断する。
【００３２】
制御部２４は、作業者が入力した制御信号、切断する携帯端末５０の種類に応じて設定された制御信号、又は走査範囲、走査経路、走査速度、照射出力等の設定パラメータに基づいて設定された制御信号を走査部２３及び遮断部２５に送って、走査部２３及び遮断部２５を制御する。
【００３３】
走査部２３は、携帯端末５０の背面板６０に照射されたレーザＬｂを走査することによって、携帯端末５０の背面板６０を走査切断する。
走査部２３は、駆動機構部としてサーボモータ、動力シリンダ等のアクチュエータを備えている。本実施形態では、アクチュエータにレーザ照射部２０を取り付けている。アクチュエータは、受け取った制御信号に応じて駆動され、レーザ照射部２０が後に示す切断線ＣＬ上を走査するように、レーザ照射部２０を図１のＤｘ方向及びＤｙ方向、好ましくは水平方向に移動させる。またレーザ焦点を合わせるよう、Ｄｚ方向を垂直方向に移動させる。
【００３４】
携帯端末５０は、図１のように、レーザ照射部２０に背面板６０を向けた状態で保持部３０に載置される。
保持部３０への載置だけで携帯端末５０を安定に保持できないときは、第１変形例の解体装置１００として図２のように、可撓性を有する部材を用いて、レーザ照射部２０に背面板６０を向けた携帯端末５０の外形に合わせた凹部３１を保持部３０に形成してもよい。この場合、可撓性を有する部材で形成された凹部３１に携帯端末５０を嵌め込んで保持することができる。また、第２変形例の解体装置２００として図３のように、携帯端末５０の４角のうち対角２角に対応する位置を固定部材３２ａ、３２ｃで固定して保持してもよい。さらには、別の対角に対応する位置に固定部材３２ｂ、３２ｄを加え、固定部材３２a〜３２ｄで固定してもよい。第２変形例の場合、固定部材３２a〜３２ｄは、保持部３０上に設けている。ここで図３は、解体装置２００の上からのＤｘ−Ｄｙ平面視であって、レーザ照射部２０を透視してみた図である。
【００３５】
携帯端末５０は、例えばタブレット端末やスマートフォンである。携帯端末５０は、背面側ＢＳに設けられた背面板６０と、背面板６０の内面６０ａに両面テープや接着剤等の接着部材８５で固着されたバッテリ７０と、前面側ＦＳに設けられた前面ガラス板８０と、液晶パネル８１と、基板８２と、電子部品８３と、筐体枠８４を備える。したがって、前面ガラス板８０、さらには液晶パネル８１を携帯端末５０の前面側ＦＳから外すことができても、基板８２や電子部品８３を外さないとバッテリ７０を外すことが難しい構造となっている。本実施形態で外すバッテリ７０は、充電式電池であって、リチウムイオン電池やニッケル水素電池である。
特にバッテリ７０が内蔵された携帯端末５０の場合、バッテリ７０内の電解液の漏れが問題となるため、携帯端末５０の解体の初期段階でバッテリ７０を取り去ることが望ましい。加えてバッテリ７０から電解液の漏れないように、バッテリ７０を破損せず除去することが望ましい。
本実施形態で切断する背面板６０は、アルミニウム板であるが、樹脂板、合金板、鉄板等、レーザで切断できる材質であればどのような材質のものであってもよい。
【００３６】
「解体方法」
本発明の実施形態に係る携帯端末の解体方法について、図４〜図８を参照して説明する。
【００３７】
本実施形態では、上記解体装置を用いた携帯端末５０の解体方法について説明する。
解体方法は、図４及び図５に示す各ステップを実施する。
まず、レーザ照射部２０に背面板６０を向けて携帯端末５０を保持する（Ｓ１：保持ステップ）。次に背面板６０を切断し、バッテリ７０が固着された背面板片６１を切り抜く（Ｓ２：背面板切断ステップ）。続いて携帯端末５０からバッテリ７０が固着された背面板片６１を剥がす（Ｓ３：背面板片剥がしステップ）。最後に剥がされた背面板片６１からバッテリ７０を取り外す（Ｓ４：バッテリ取り外しステップ）。取り外されたバッテリは有価物として回収したり、又はバッテリ特有の工程で処分したりする（Ｓ５：バッテリ回収・処分ステップ）。バッテリ７０が外された背面板片６１は、背面板片６１が剥がされた携帯端末５０と共に破砕する（Ｓ６：破砕ステップ）。
【００３８】
保持ステップＳ１について説明する。
携帯端末５０は、前面側ＦＳを保持部３０に向けて保持部３０に載置される。したがって、携帯端末５０は、レーザ照射部２０に背面板６０を向けて保持される。この場合、携帯端末５０を保持部３０に載置するだけではなく、上記に示すように、凹部３１に携帯端末５０を嵌め込んで保持してもよいし、固定部材３２a〜３２ｄで固定してもよい。
【００３９】
保持ステップＳ１に続いて背面板切断ステップＳ２が実施される。
背面板切断ステップＳ２について説明する。
レーザ照射部２０から、携帯端末５０の背面板６０の外面６０ｂにレーザＬｂを照射する。照射されたレーザＬｂは、背面板６０を走査切断する。レーザＬｂは、背面板６０の内面６０ａに固着されたバッテリ７０の輪郭ＯＬに沿った切断線ＣＬを走査される。
特に本実施形態では、バッテリ７０の輪郭ＯＬ全周にわたって切断することによって、背面板片６１を切り抜いている。
さらに本実施形態では、Ｄｘ−Ｄｙ平面視において、バッテリは矩形状の輪郭ＯＬを有するから、矩形状を描く切断線ＣＬを設定し、矩形状に背面板片６１を切り抜いている。
【００４０】
バッテリ７０を極力破損せず、スムーズに取り外すためには、Ｄｘ−Ｄｙ平面視において、バッテリ７０の輪郭ＯＬのジャストサイズで背面板片６１を切り抜くより、ひとまわり大きなサイズで背面板片６１を切り抜くほうが望ましい。他方で切り抜くサイズが大き過ぎると、周辺リブや筐体枠等を含んだ切断となるため、背面板片６１を切り抜くことができない場合がある。
したがって、バッテリ７０の輪郭ＯＬ全周にわたる切断線ＣＬは、バッテリ７０の輪郭ＯＬより少し外側に設定されることが望ましい。
【００４１】
輪郭ＯＬより少し外側に切断線ＣＬの設定する場合、以下のように切断線ＣＬを設定すれば、背面板片６１を切り抜くことができる。
図６は携帯端末５０を背面側からのＤｘ−Ｄｙ平面図であって、背面板６０及び接着部材８５を透視してみた図である。
携帯端末５０内におけるバッテリ７０の固定領域は、周辺リブや筐体枠の内側に設定されており、当該固定領域は、基板８２やネジのボス孔８２ａで画定された領域に限られていることが多い。当該画定された領域は、バッテリ７０よりひとまわり広い領域となっている。したがって、バッテリ７０が、基板８２やネジのボス孔８２ａで画定された領域の中央に固定されていれば、基板８２やネジのボス孔８２ａと、バッテリ７０との間にある程度隙間ができる。
よって、図６に示すように、切断線ＣＬを、バッテリ７０の輪郭ＯＬの外側、具体的には基板８２やネジのボス孔８２ａと、バッテリ７０との間に隙間に設定する。
本実施形態では、輪郭ＯＬより、０ｍｍ〜１０ｍｍ外側に切断線ＣＬを設定している。
もちろん背面板片６１の取り外し作業に支障がなければ、切断線ＣＬをバッテリ７０の輪郭ＯＬ上に設定してもよい。
【００４２】
さらに、バッテリ７０を固着したまま背面板片６１を剥がすことができるなら、輪郭ＯＬより内側（例えば輪郭ＯＬより０ｍｍ〜１０ｍｍ内側）に切断線ＣＬを設定してもよい。
【００４３】
ところで、図７に示すように、バッテリ７０が、基板８２やネジのボス孔８２ａで画定された領域の中央に固定されていない場合、基板８２やネジのボス孔８２ａと、バッテリ７０との間に隙間が形成されていないことがある。特に、携帯端末５０を組み立てにおいて、背面板６０にバッテリ７０を手作業で貼り付ける場合に起こり得る。
図７は、図６同様、携帯端末５０を背面側からのＤｘ−Ｄｙ平面図であって、背面板６０及び接着部材８５を透視してみた図である。
【００４４】
この場合、手作業で組み立てられた携帯端末５０のバッテリ７０の位置は、基板８２やネジのボス孔８２ａで画定された領域には収まってはいるものの、当該領域の中央にあるとは限らない。したがって、極端な場合、基板８２やネジのボス孔８２ａと、バッテリ７０との間に隙間が形成されないこととなる。
しかも、携帯端末５０を外観するだけでは、バッテリ７０の位置は把握できない。
【００４５】
よって、基板８２やネジのボス孔８２ａで画定された領域の中央に固定されていることを前提に設定した切断線ＣＬにおいて、背面板６０を切断すると、バッテリ７０が中央からずれた位置に固着されている場合、切断線ＣＬがバッテリ７０上を通ることになる。
【００４６】
このような場合、基板８２やネジのボス孔８２ａで画定された領域の中央に固定されていることを前提に設定した切断線ＣＬにおいて、背面板６０を切断しても、ずれたバッテリ７０を切断してしまわないように、レーザ照射部２０を制御する。具体的には、レーザ照射部２０が照射するレーザＬｂの照射出力（Ｗ）と走査速度（ｍｍ/秒）を調整し、背面板６０は切断する一方、バッテリ７０を切断してしまわないように切断走査を行う。
このようなレーザ照射部２０の調整は、バッテリ７０を一切切断しないまでの精度は要求されない。電解液の漏洩に至らなければ、レーザ照射部２０の調整は、バッテリ７０のパッケージや筐体の一部を切断するものであっても構わない。
【００４７】
レーザＬｂの走査によって、背面板片６１を切り抜く場合、携帯端末５０の輪郭から開始して、一筆書き状の走査経路で切断すれば、一定の走査速度での切断が可能となる。一定の走査速度とするためには、一筆書き状の走査経路は、Ｄｘ−Ｄｙ平面視において、折れ線を伴わない直線と曲線との組み合わせからなる走査経路であることが望ましい。
例えば、背面板片６１を矩形で切り抜く場合、矩形の角付近において、９０度転回するために角に沿って走査すると、９０度折れ曲がった走査経路となってしまう。したがって、全体の走査速度に比べて、角付近において走査速度が遅くなる場合がある。
そこで本実施形態では、走査経路として、折れ線を伴わない直線と曲線の組み合わせからなる走査経路を用いる。このような走査経路の一例を図８に示す。
図８に示す走査経路は、９０度転回を行うために、角に沿った走査経路を用いるのではなく、矩形外で２７０度旋回（−２７０度旋回）する曲線経路を経る走査経路を用いている。
第２変形例のように、矩形の角付近を固定部材３２a〜３２ｄで固定している場合であっても、図８のような走査経路であれば、固定部材３２a〜３２ｄを避けるように旋回する走査線によって走査すれば、一筆書きの走査することが可能である。
図８の経路ＲＴはレーザＬｂの走査経路を示す。経路ＲＴは、実際にレーザＬｂで照射箇所を切断する制御を行う切断実行経路ＲＴｏｎと、切断を実施しない切断停止経路ＲＴｏｆｆを有する。
切断実行経路ＲＴｏｎでは、レーザＬｂを遮断しない制御を行い、背面板６０の切断を実施するように、レーザＬｂを走査する。
切断停止経路ＲＴｏｆｆでは、レーザＬｂを遮断する制御を行い、遮断部２５でレーザＬｂを遮断することによって、背面板６０又は背面板６０周辺の切断を実施しないように、レーザＬｂを走査する。
【００４８】
背面板切断ステップＳ２に続いて背面板片剥がしステップＳ３が実施される。
背面板片剥がしステップＳ３について説明する。
切り抜かれた背面板片６１は、バッテリ７０を固着したまま、バッテリ７０ごと携帯端末５０から剥がされる。
ここで本実施形態では、図９に示すように、背面板片６１を上（背面側ＢＳ）に向けて携帯端末５０に対して背面板片６１を引き上げることによって、背面板片６１が剥がされる。
【００４９】
本実施形態では、切り抜かれた背面板片６１を引き上げて背面板片６１を剥がしているが、携帯端末５０の前面、背面を反転して、背面板片６１を引き下げて剥がしてもよい。
【００５０】
他方、背面板片６１が剥がされた携帯端末５０は、前面ガラス板８０と、液晶パネル８１と、基板８２と、電子部品８３と、筐体枠８４等からなり、後に示すとおり破砕される。
【００５１】
背面板片剥がしステップＳ３に続いてバッテリ取り外しステップＳ４が実施される。
バッテリ７０は、接着部材８５で背面板片６１に固着されているので、背面板片６１からバッテリ７０を剥がすことによって、背面板片６１からバッテリを取り外すことができる。
【００５２】
バッテリ取り外しステップＳ４に続いてバッテリ回収・処分ステップＳ５が実施される。
取り外されたバッテリ７０は、バッテリ回収・処分ステップＳ５において、有価物として回収されたり、又はバッテリ特有の工程で処分されたりする。
また、バッテリ７０が外された背面板片６１は、破砕ステップＳ６において、背面板片６１が剥がされた携帯端末５０と共に破砕され、破砕片にされる。破砕片は、その後、有価物と非有価物に分けられる。
なお、本実施形態ではバッテリ取り外しステップＳ４を実施しているが、変形例として、背面板片６１に固着されたバッテリ７０のままで有価物として回収され得る場合は、バッテリ取り外しステップＳ４を実施しなくてもよい。また、背面板片６１に固着されたバッテリ７０のまま別の設備や別の施設へ運び込む場合も、バッテリ取り外しステップＳ４を実施しなくてもよい。
【００５３】
本実施形態の作用、効果について説明する。
本実施形態では、バッテリ７０が固着された背面板６０を切断して、携帯端末５０からバッテリ７０を除去している。よって、背面板６０を切断してバッテリ７０を除去すれば、内蔵される基板８２、電子部品８３、液晶パネル８１等の他の部品を取り外さずバッテリ７０を除去することができる。
また、本実施形態の場合、バッテリ７０の輪郭ＯＬに沿って、背面板６０にレーザＬｂを走査して切断している。よって、バッテリ７０を大きく破損することなく、背面板６０を切断することができる。
特に本実施形態の場合、バッテリ７０の輪郭ＯＬに沿って、背面板６０にレーザＬｂを走査して切断して、背面板片６１を切り抜いている。よって、携帯端末５０からバッテリ７０が固着された背面板片６１を切り抜くことができる。加えて、切り抜かれた背面板片６１を引き上げれば、他の部品を取り外さずに、携帯端末５０からバッテリ７０を除去することができる。
したがって、本実施形態では、バッテリ７０を大きく破損することなく、携帯端末５０からバッテリ７０を短時間で除去できる。
【００５４】
また、本態様では、レーザＬｂを用いて背面板６０を切断している。
鋸、砥石等の刃具を用いた切断の場合、刃具の刃先は必ず背面板６０より下に出る位置にないと切断できない。刃先が背面板６０より下に出るように押し当てると、背面板６０が押されて撓んで逃げてしまう。この撓みに対して、さらに刃先を背面板６０に押し当てる必要がある。しかし、背面板６０が切断されてしまうと、押し当てた圧が抜けて、バッテリ７０を深く切断してしまう。
これに対し、レーザＬｂを用いて背面板６０を切断は、刃先の押し当ては必要なく、背面板６０の撓みも発生しないので、バッテリ７０を深く切断することはなく、悪くともバッテリ７０のパッケージや筐体の一部の切断に止めることが可能である。
【００５５】
その他、レーザＬｂを用いた切断は、刃具を用いた切断に比べて、切断時に発生する音が比較的小さく、作業者への負担が少ないという効果もある。さらに、刃具を用いた切断は、刃具の交換が定期的に必要となるのに対し、レーザＬｂを用いた切断は、刃具の交換を必要としないのでメンテナンス性に優れている。加えて、レーザＬｂを用いた切断は、鋸、砥石等の刃具を用いた切断に比べて、少ない切り代で切断することができるので、高精細な切断が可能である。
【００５６】
「解体方法の変形例」
本発明の実施形態に係る携帯端末の解体方法の変形例について、図１０〜図１３を参照して説明する。
【００５７】
本変形例では、背面板切断ステップにおいて、爪挿入部９１を形成するという点が異なる。
また、背面板片剥がしステップにおいて、背面板６０の切断箇所に爪状の把持部９０を押し込み、把持部９０を用いてバッテリ７０が固着された背面板片６１を剥がすという点が異なる。
さらに、バッテリ取り外しステップにおいて、把持部９０で背面板片６１を把持したまま、背面板片６１からバッテリ７０を取り外すという点が異なる。
その他の構成については上記解体方法と同様である。
【００５８】
図１０及び図１１に示すように、本変形例では、上記解体方法と同様な保持ステップＳ１を実施した後に、背面板切断ステップＳ２´、背面板片剥がしステップＳ３´及びバッテリ取り外しステップＳ４´を実施する。その後、上記解体方法と同様なバッテリ回収・処分ステップＳ５及び破砕ステップＳ６を実施する。
また、背面板片剥がしステップＳ３´は、背面板片把持ステップＳ３１を含む。
【００５９】
背面板切断ステップＳ２´では、図１２に示すように、レーザ照射部２０を制御して背面板６０を、走査開始点Ｒｓｔから走査終了点Ｒｆｎへ一筆書きで切断する。背面板６０を一筆書きで切断することによって、図１３に示すように、背面板片６１を矩形ＲＣに切り抜くとともに、当該矩形の四角の外側の位置に円弧状の曲線、又は円弧状の曲線及び直線を組み合わせた切れ込みＬＡを入れる。切れ込みＬＡ及び矩形ＲＣの各辺（本実施形態では短辺）で囲まれる領域（切断箇所）には、爪挿入部９１が形成される。
【００６０】
背面板切断ステップＳ２´に続いて背面板片剥がしステップＳ３´が実施される。
背面板片剥がしステップＳ３´に含まれる背面板片把持ステップＳ３１では、まず、図１１に示すように、爪挿入部９１が形成された携帯端末５０の前面側ＦＳと背面側ＢＳとが反転される。続いて、把持部９０が下から上へ押し上げられて、爪挿入部９１に爪状の把持部９０が押し込まれる。押し込まれた把持部９０の先端は、背面板片６１の側面又は内面に引っ掛けられる。把持部９０は、把持部９０の先端を背面板片６１に引っ掛けることによって、背面板片６１を把持する。図１１の背面板片剥がしステップＳ３´の図は、背面板切断ステップＳ２´のＡ−Ａ´の断面図を示す。
背面板片把持ステップＳ３１を実施した後、図１１に示すように、把持部９０が引き下げられることによって、バッテリ７０が固着された背面板片６１は、携帯端末５０からバッテリ７０ごと剥がされる。
【００６１】
背面板片剥がしステップＳ３´に続いてバッテリ取り外しステップＳ４´が実施される。
バッテリ取り外しステップＳ４´では、図１１に示すように、把持部９０で背面板片６１を把持したまま、背面板片６１からバッテリ７０を取り外す。
【００６２】
以上、本発明の実施の形態について図面を参照して詳述したが、具体的な構成は上記実施形態に限られるものではなく、本発明の要旨を逸脱しない範囲の設計変更等も含まれる。
【００６３】
本実施形態では、走査部２３でレーザ照射部２０を走査することによって、レーザＬｂを走査し、走査切断しているが、レーザ照射部２０を走査するものに限らない。
例えば、走査部として、レーザを反射するミラー及びミラーを駆動する駆動機構部を設け、ミラーを移動又は回動することによって、走査切断してもよい。
また、走査部を介して保持部３０にヘッド支持部２２を支持し、走査部でヘッド支持部２２を移動することによって、走査切断してもよい。
さらに、保持部３０上に、走査部として、携帯端末５０をＤｘ方向及びＤｙ方向に移動する駆動機構部を設け、携帯端末５０を移動することによって、走査切断してもよい。
【００６４】
本実施形態では、切断停止経路ＲＴｏｆｆにおいて、遮断部２５でレーザＬｂの照射を遮断して走査しているが、切断を実施しないようにレーザＬｂを走査できるなら、レーザＬｂの照射経路に減衰器を設け、減衰器でレーザＬｂの照射強度を減衰させて、切断を行わないように走査するものでよい。
【００６５】
本実施形態では、背面板片６１を切り抜くことによって、背面板片６１を切り出しているが、完全に切り抜かず、一部を残して切断することによって、背面板片６１を切り出しても構わない。例えば、矩形状を描く切断線ＣＬの４つの辺のうち、３つの辺に沿って背面板６０を切断し、残りの１つの辺を切り残してもよい。この場合、切り残した１辺で背面板片６１を外側へ折り返すことによって、バッテリ７０が固着された背面板片６１が剥がされる。そして、背面板片６１の折り返しによって露出するバッテリ７０を取り外せばよい。もちろん矩形の１角周辺を残して、当該１角周辺でバッテリが固着された背面板片６１を折り返してもよい。
【００６６】
本実施形態では、バッテリ７０が外された背面板片６１を破砕しているが、バッテリ７０が外された背面板片６１が有価物であれば、破砕せず有価物として回収してもよい。
また、本実施形態ではバッテリが固着された背面板片６１が剥がされた携帯端末５０を破砕しているが、各部材や各部品に分離してから破砕又は破砕せず有価物として回収してもよい。
【００６７】
レーザ照射部２０が照射するレーザＬｂの走査範囲、走査経路、走査速度及び照射出力等の設定パラメータは、切断する携帯端末５０に応じて設定される。
各設定パラメータは、個別に作業者が設定してもよいし、事前に決められた設定パラメータのパターンの中から作業者が選択して設定してもよい。
また、切断する携帯端末５０の機種、型名、規格、サイズ等を作業者やセンサによって判別し、各設定パラメータを設定してもよい。
さらに、携帯端末５０の機種、型名、規格、サイズ等の種類に合わせた各種パレットを準備して、携帯端末５０の種類に合わせたパレットで携帯端末５０を保持してもよい。この場合、携帯端末５０を保持したパレットを解体装置へ搬入させ、パレットの種類を作業者やセンサによって判別し、各設定パラメータを設定する。
【００６８】
本実施形態では、上記解体装置を用いた携帯端末５０の解体方法について説明したが、切断部に背面板６０を向けて携帯端末５０を保持して、切断部によって背面板６０を切断できるならば、必ずしも本実施形態の解体装置を用いなくてもよい。例えば、切断部に背面板を向けて保持された携帯端末に対して、作業者が切断部を動かして、切断線ＣＬを走査切断してもよい。
【００６９】
本実施形態の携帯端末の例としては、タブレット端末やスマートフォンの他にも、携帯電話、ノート型パソコン、腕時計、電子書籍、通信機器、ゲーム機器等、バッテリが内蔵されている携帯端末であればどのようなものであっても構わない。
【００７０】
本実施形態で外すバッテリ７０は、リチウムイオン電池やニッケル水素電池である場合を説明したが、他の二次電池（充電型電池）、さらには、一次電池が内蔵された携帯端末の解体装置や解体方法に適用しても構わない。
【００７１】
本実施形態では、レーザ切断を行う場合について説明したが、切り代の精細化や切断深さの深さ精度等が要求されない場合は、鋸、砥石等の刃具を用いて切断してもよい。この場合、切断線ＣＬを刃具が走査して、走査切断する。
【符号の説明】
【００７２】
１０：解体装置
２０：レーザ照射部（切断部）
２１：レーザヘッド
２２：ヘッド支持部
２３：走査部
２４：制御部
２５：遮断部
３０：保持部
３１：凹部
３２ａ：固定部材
３２ｂ：固定部材
３２ｃ：固定部材
３２ｄ：固定部材
５０：携帯端末
６０：背面板
６０ａ：内面
６０ｂ：外面
６１：背面板片
７０：バッテリ
８０：前面ガラス板
８１：液晶パネル
８２：基板
８２ａ：ボス孔
８３：電子部品
８４：筐体枠
８５：接着部材
９０：把持部
９１：爪挿入部
１００：解体装置
２００：解体装置
ＢＳ：背面側
ＣＬ：切断線
ＦＳ：前面側
Ｌｂ：レーザ
ＯＬ：輪郭
ＲＣ：矩形
ＲＴ：経路
ＲＴｏｆｆ：切断停止経路
ＲＴｏｎ：切断実行経路
Ｒｓｔ：走査開始点
Ｒｆｎ：走査終了点
Ｓ１：保持ステップ
Ｓ２：背面板切断ステップ
Ｓ２´：背面板切断ステップ
Ｓ３：背面板片剥がしステップ
Ｓ３´：背面板片剥がしステップ
Ｓ３１：背面板片把持ステップ
Ｓ４：バッテリ取り外しステップ
Ｓ４´：バッテリ取り外しステップ
Ｓ５：バッテリ回収・処分ステップ
Ｓ６：破砕ステップ
【図１】
2017164673.tif 000003
【図２】
2017164673.tif 000004
【図３】
2017164673.tif 000005
【図４】
2017164673.tif 000006
【図５】
2017164673.tif 000007
【図６】
2017164673.tif 000008
【図７】
2017164673.tif 000009
【図８】
2017164673.tif 000010
【図９】
2017164673.tif 000011
【図１０】
2017164673.tif 000012
【図１１】
2017164673.tif 000013
【図１２】
2017164673.tif 000014
【図１３】
2017164673.tif 000015